(57)【特許請求の範囲】
【請求項１】
上下端に雄雌連結構造を有する建築用パネルにおいて、略垂直平面状の化粧面と、該化粧面の下端を内方に屈曲した側面と、該側面の先端を上方に屈曲した上面と、該上面の先端を下方に屈曲した嵌合面と、該嵌合面と上面とから断面略逆Ｕ字状に形成した嵌合溝とから形成した雄型連結部と、化粧面の上端を内方に屈曲した側面と、該側面の先端を上方に２本平行に突出した係合面と、外方の係合面に形成した軟質の合成樹脂よりなるパッキング片とからなる係合部と、該係合部の根本を上方に突出した下面と、該下面と係合部とから断面略Ｕ字状に形成した係合溝と、下面の先端をさらに上方に突出した固定面とから形成した雌型連結部とからなる樹脂製表面材と、該樹脂製表面材の裏面に合成樹脂発泡体を形成したことを特徴とする建築用パネル。
【発明の詳細な説明】
【０００１】
【産業上の利用分野】
本発明は建築物、構築物の内装材、外装材、特にリフォーム（改修）に最適で、施工性、耐候性、耐腐食性が良い建築用パネルに関するものである。
【０００２】
【従来の技術】
一般に、内装材、外装材としては窯業系サイディング材、金属系サイディング材を使用した乾式工法が主流となってきている。特にリフォーム（改修）、海岸近傍等の特殊環境等には高価なアルミニウム、あるいはステンレス、もしくはチタン等が用いられている。また、施工場所によっては樹脂製のパネルも使用されている。
【０００３】
【発明が解決しようとする課題】
しかしながら、窯業系サイディング材では重くて施工性が悪く、かつ防水性、塗膜の耐久性に欠ける不利があった。さらに金属系サイディング材、特に表面材として表面処理鋼板を使用した場合には錆等に対する耐腐食性もしくは耐薬品性等に問題があり、このために防食性のよい特殊塗膜で被覆する必要がありコストアップとなる弱点があった。また、樹脂パネルは防火性が無く、使用できる範囲は大変狭いものであった。さらに、樹脂パネルは強度的に弱く、連結部が外力により破壊され、樹脂パネル自体が剥離してしまう危険性があった。また、樹脂パネルの固定は非常に難しく、図２４に示すように、固定面にルーズホールを形成すると共に、固定面と固定具βの頭部β１  間に間隙ａ（約１ｍｍ）を形成し、樹脂パネル自体が強固に固定されることのないようにしなければならないものであった。また、単体の樹脂製パネルは熱に対しての変形が大きく、施工時に木口面と端部材（出隅、入隅、止縁、ジョイナー等）との間に、７〜１０ｍｍ位の空間を形成する必要があり、施工に時間がかかると共に、熟練と精度が必要であった。
【０００４】
【課題を解決するための手段】
本発明はこのような欠点を除去するため、上下端に雄雌連結構造を有する建築用パネルにおいて、略垂直平面状の化粧面と、化粧面の下端を内方に屈曲した側面と、側面の先端を上方に屈曲した上面と、上面の先端を下方に屈曲した嵌合面と、嵌合面と上面とから断面略逆Ｕ字状に形成した嵌合溝とから形成した雄型連結部と、化粧面の上端を内方に屈曲した側面と、側面の先端を上方に２本平行に突出した係合面と、外方の係合面に形成した軟質の合成樹脂よりなるパッキング片とからなる係合部と、係合部の根本を上方に突出した下面と、下面と係合部とから断面略Ｕ字状に形成した係合溝と、下面の先端をさらに上方に突出した固定面とから形成した雌型連結部とからなる樹脂製表面材と、樹脂製表面材の裏面に合成樹脂発泡体を形成した建築用パネルとすることにより、施工性、耐候性、防錆性、耐腐食性が良い建築用パネルを提案するものである。
【０００５】
【実施例】
以下に、図面を用いて本発明に係る建築用パネルの一実施例について詳細に説明する。図１は本発明に係る建築用パネルの代表的な一例を示す断面図であり、Ａは建築用パネルで樹脂製表面材１と裏面材２間に芯材３を形成し、上下端に雄型連結部４、雌型連結部５を形成したものである。また、図２は施工状態を示す断面図である。
【０００６】
さらに説明すると、樹脂製表面材１は例えば合成樹脂（プラスチック）の押出成型品よりなるものであり、合成樹脂としては例えば塩化ビニール樹脂（ＰＶＣ）、ポリエチレン（ＰＥ）、ポリプロピレン（ＰＰ）、ポリカーボネート（ＰＣ）、アクリル樹脂、ポリエステル樹脂、ポリスチレン樹脂、スチロール樹脂、メタクリル樹脂、ポリウレタン樹脂、フェノール樹脂、アルキッド樹脂、ユリア樹脂（尿素樹脂）、メラミン樹脂、フッ素樹脂、ケイ素樹脂、繊維強化プラスチック（ＦＲＰ）、等の一種である。なお、塩化ビニールの押出品が生産性、値段、性能（耐候性）の面において良好である。
【０００７】
雄型連結部４は図３に示すように、化粧面６の下端を内方に屈曲した側面７と、側面７の先端を上方に突出した上面８と、上面８の先端を下方に屈曲して垂下した嵌合面９と、嵌合面９と上面８とから断面略逆Ｕ字状に形成した嵌合溝１０とから形成したものである。
【０００８】
雌型連結部５は図４、および図５（拡大断面図）に示すように、化粧面６の上端を内方に図では傾斜して屈曲した側面１１と、側面１１の先端を上方に２本平行に突出した係合面１３、係合面１４と、係合面１３と係合面１４により形成された間隙１５と、外方の係合面１３に連続状で形成した図では２本の軟質の合成樹脂よりなるパッキング片１６とから形成した係合部１２と、係合部１２の根本を上方に突出した下面１７と、下面１７と係合部１２とから断面略Ｕ字状に形成した係合溝１８と、下面１７をさらに突出した固定面１９と、固定面１９に形成した２本の突条２０と図６に示すように固定面１９に形成した複数個の長孔状の固定孔２１からなる固定部２２とから形成したものである。
【０００９】
６ａは凹凸であり、化粧面６の意匠性を向上するものである。また、化粧溝６ｂは化粧面６を複数の化粧面６に分割し、あたかも狭い幅の建築用パネルＡ複数枚により形成されているように形成し、施工性を向上するものである。
【００１０】
嵌合溝１０は、雌型連結部５の係合部１２を嵌合し、図２に示すように躯体αに固定具βを介して固定面１９を固定し壁面を形成するものである。
【００１１】
また、係合面１３と係合面１４の２本により係合部１２を形成することにより、連結強度を向上するものである。さらに、この係合部１２の間隙１５がスプリングバックの機能を発揮し、連結強度、防水性、気密性、等をさらに向上するのに有効である。
【００１２】
パッキング片１６は軟質の合成樹脂よりなり、連結部の防水性を係合面１３、係合面１４、間隙１５との相乗効果により向上するためのものである。また、パッキング片１６は樹脂製表面材１の主体部と共に、一体で押し出されるものである。
【００１３】
固定面１９は図２に示すように固定具βにより躯体αに建築用パネルＡを固定するための部分である。
【００１４】
固定孔２１は、図６に示すように横長（ルーズホール）に形成するものであり、樹脂製表面材１の長手方向の熱伸縮による変形が固定具βの打設により邪魔されずにこの固定孔２１により吸収されるものである。このために、固定面１９が固定具βにより堅く固定された場合に起こる樹脂製表面材１の変形により、固定具βから固定面１９が脱落することがなく、建築用パネルＡが躯体α（木造下地、鉄骨下地、アスファルトフェルト等）より剥離するのを防止するものである。勿論、固定具βは固定孔２１の中心部に固定するものである。
【００１５】
固定部２２は図２、および図５に拡大して示すように、突条２０を２本形成することにより固定具βの頭部β１  が固定面１９まで固定せずに形成できるようにしたものである。勿論、頭部β１  の直径は固定部２２の幅よりも大きいものである。
【００１６】
このために、施工された建築用パネルＡは熱による伸縮を吸収でき、建築用パネルＡ自体が伸縮により変形し、化粧面６が歪んでしまうことが無く、また、熱収縮による変形により、躯体αから建築用パネルＡが剥離してしまうことがないものである。さらに、固定部２２は、難しい樹脂パネルの固定能率の向上、固定の簡素化、固定の確実化を図るものである。
【００１７】
また、裏面材２は建築用パネルＡをサンドイッチ構造として強度を向上するためのものである。その素材としては、例えばクラフト紙、アルミニウム箔、アルミ・クラフト紙、不織布（炭素、アルミナ、ロックウール、グラファイト、ガラス等の無機繊維、ポリエステル系、ナイロン系、アラミド系の樹脂製）、アスファルトフェルト、あるいは金属箔、もしくは金属シートの一種をロール成形、プレス成形、押出成形等によって各種形状に成形したものである。
【００１８】
芯材３は樹脂製表面材１の裏面の樋状部２３に合成樹脂発泡体２４を裏打材（バックアップ材、断熱材、防火材、補強材、変形防止材、等の機能を具備）として一体に設けたものであり、合成樹脂発泡体２４としてはポリウレタンフォーム、ポリイソシアヌレートフォーム、フェノールフォーム、塩化ビニルフォーム、ポリエチレンフォーム、ポリスチレンフォーム、ユリアフォーム等、もしくはこれらに無機軽量骨材、無機繊維等の無機材を混入したもの等からなるものである。
【００１９】
以上にように形成した建築用パネルＡによれば、常温（２０℃以上）で測定したところ、ＰＶＣよりなる樹脂製表面材１単体で形成した建築用パネルＡの線膨張係数が９．５×１０−５であるのに対し、ＰＶＣよりなる樹脂製表面材１にポリイソシアヌレートフォームよりなる合成樹脂発泡体２４を芯材３として形成した建築用パネルＡの線膨張係数は６．７×１０−５であった。これは、ＰＶＣ加熱時の表面温度が上昇しても、フォームの断熱効果によりフォームの温度が上昇せずフォームの伸びが少なく、ＰＶＣの伸びを抑制するためであると考えられる。特に、夏季（常夏）の樹脂製表面材１の伸び防止に有効である。
【００２０】
これを長さ１ｍに換算すれば、ＰＶＣよりなる樹脂製表面材１単体で形成した建築用パネルＡが０．０９５ｍｍ／℃であるのに対し、ＰＶＣよりなる樹脂製表面材１にポリイソシアヌレートフォームよりなる合成樹脂発泡体を芯材３として形成した建築用パネルＡは０．０６７ｍｍ／℃であることであり、約３割の減少であった。勿論、裏面材２をさらに形成した建築用パネルＡであれば、さらに大幅に伸縮率が低下するものである。
【００２１】
以上説明したのは、本発明に係る建築用パネルの一実施例にすぎず、図７（ａ）〜（ｈ）〜図２２（ａ）〜（ｈ）に示すように建築用パネルＡを形成することができる。
【００２２】
すなわち、図７（ａ）〜（ｈ）、図８（ａ）〜（ｅ）は固定部２２のその他の実施例を示すものである。
【００２３】
また、図９（ａ）、（ｂ）〜図２２（ａ）〜（ｈ）は建築用パネルＡのその他の実施例を示すものであり、樹脂製表面材１の雄型連結部４、雌型連結部５、化粧面６、裏面材２、芯材３等を各々変形した建築用パネルＡである。
【００２４】
図２３は樹脂製表面材１部分を拡大して示す断面図であり、図のように合成樹脂２５（プラスチック）にレゾール型フェノール樹脂粉末２６を添加して混在させたものである。
【００２５】
レゾール型フェノール樹脂粉末２６としては、例えば球形で大きさは０．０２〜１０ｍｍ位、嵩密度は０．０６５〜０．８ｇ／ｃｍ３  位であり、（ａ）熱溶融タイプ、（ｂ）部分的熱溶融タイプ、（ｃ）熱不溶融型、あるいは（ｄ）焼成タイプ、等の４種類があって、特に真球の場合は流動性がよい。このレゾール型フェノール樹脂粉末２６の使用目的は、▲１▼耐熱性に欠ける合成樹脂２５の耐熱性の向上、▲２▼圧縮強度に欠ける合成樹脂２５の機械強度の向上、▲３▼耐候性の向上、▲４▼化粧面外観のフラット性維持強化、▲５▼合成樹脂２５成形時の流動性の改善、等のためである。なお、添加量は目的によって異なるが例えば合成樹脂２５の原料１００重量部に対し、１０〜２００重量部位である。
【００２６】
そこで、このレゾール型フェノール樹脂粉末２６を混在した建築用パネルＡに対しＪＩＳ−Ａ−１３２１による準不燃試験を行ったところ、合格であった。
【００２７】
【発明の効果】
上述したように本発明に係る建築用パネルによれば、▲１▼耐候性の向上が図れる。▲２▼樹脂製表面材が合成樹脂のために錆びず、腐れたりしない。▲３▼樹脂製表面材が合成樹脂のために軽量化が図れ、施工性がよい。▲４▼切断等の加工性がよい。▲５▼施工後の熱による建築用パネルの伸縮を固定部で吸収でき、建築用パネルＡ自体が伸縮しても、化粧面が変形し歪んでしまうことが無い。▲６▼熱収縮による建築用パネル自体の変形により、躯体から建築用パネルが剥離してしまうことが無い。▲７▼係合面を２本形成したために連結部にスプリングバック効果を発揮し、難しい樹脂パネルの固定能率の向上、固定の簡素化、固定の確実化を図ることができる。▲８▼軟質のパッキング片を形成したために、防水性が向上する。▲９▼樹脂製表面材の裏面に合成樹脂発泡体を形成したために、特に樹脂製表面材の伸びを低減し、施工性、断熱性（隙間の低減）、剥離防止、長期に亘る美観性の維持が図られる。等の特徴、効果がある。
【図面の簡単な説明】
【図１】本発明に係る建築用パネルの一実施例を示す断面図である。
【図２】本発明に係る建築用パネルの施工状態を示す断面図である。
【図３】本発明に係る建築用パネルの実施例を示す断面図である。
【図４】本発明に係る建築用パネルの実施例を示す断面図である。
【図５】本発明に係る建築用パネルの実施例を示す拡大断面図である。
【図６】本発明に係る建築用パネルのその他の実施例を示す斜視図である。
【図７】本発明に係る建築用パネルのその他の実施例を示す断面図である。
【図８】本発明に係る建築用パネルのその他の実施例を示す断面図である。
【図９】本発明に係る建築用パネルのその他の実施例を示す断面図である。
【図１０】本発明に係る建築用パネルのその他の実施例を示す断面図である。
【図１１】本発明に係る建築用パネルのその他の実施例を示す断面図である。
【図１２】本発明に係る建築用パネルのその他の実施例を示す断面図である。
【図１３】本発明に係る建築用パネルのその他の実施例を示す断面図である。
【図１４】本発明に係る建築用パネルのその他の実施例を示す断面図である。
【図１５】本発明に係る建築用パネルのその他の実施例を示す断面図である。
【図１６】本発明に係る建築用パネルのその他の実施例を示す断面図である。
【図１７】本発明に係る建築用パネルのその他の実施例を示す断面図である。
【図１８】本発明に係る建築用パネルのその他の実施例を示す断面図である。
【図１９】本発明に係る建築用パネルのその他の実施例を示す断面図である。
【図２０】本発明に係る建築用パネルのその他の実施例を示す断面図である。
【図２１】本発明に係る建築用パネルのその他の実施例を示す断面図である。
【図２２】本発明に係る建築用パネルのその他の実施例を示す断面図である。
【図２３】本発明に係る建築用パネルのその他の実施例を示す断面図である。
【図２４】従来例を示す断面図である。
【符号の説明】
ａ  間隙
Ａ  建築用パネル
α  躯体
β  固定具
β１    頭部
１  樹脂製表面材
２  裏面材
３  芯材
４  雄型連結部
５  雌型連結部
６  化粧面
６ａ  凹凸
６ｂ  化粧溝
７  側面
８  上面
９  嵌合面
１０  嵌合溝
１１  側面
１２  係合部
１３  係合面
１４  係合面
１５  間隙
１６  パッキング片
１７  下面
１８  係合溝
１９  固定面
２０  突条
２１  固定孔
２２  固定部
２３  樋状部
２４  合成樹脂発泡体
２５  合成樹脂
２６  レゾール型フェノール樹脂粉末
【図１】
0003627023.tif 000002
【図２】
0003627023.tif 000003
【図３】
0003627023.tif 000004
【図４】
0003627023.tif 000005
【図５】
0003627023.tif 000006
【図６】
0003627023.tif 000007
【図７】
0003627023.tif 000008
【図８】
0003627023.tif 000009
【図９】
0003627023.tif 000010
【図１０】
0003627023.tif 000011
【図１１】
0003627023.tif 000012
【図１２】
0003627023.tif 000013
【図１３】
0003627023.tif 000014
【図１４】
0003627023.tif 000015
【図１５】
0003627023.tif 000016
【図１６】
0003627023.tif 000017
【図１７】
0003627023.tif 000018
【図１８】
0003627023.tif 000019
【図１９】
0003627023.tif 000020
【図２０】
0003627023.tif 000021
【図２１】
0003627023.tif 000022
【図２２】
0003627023.tif 000023
【図２３】
0003627023.tif 000024
【図２４】
0003627023.tif 000025